(57)【要約】【課題】いくつかの鉢植え観葉植物などの被ディスプレイ体を美麗に保持しかつ展示する際などに好適に使用されるディスプレイ用のシステムスタンドを得ることを目的とする。【解決手段】基部に立設固定される支柱を備え、この支柱に一もしくはそれ以上のアーム部材を回動自在にかつ取替え自在に配設するとともに支柱の頂部にアーム部材の固定具を設け、さらに各アーム部材の端部に被ディスプレイ体の支持部を配設し、これらの支持部を支柱の半径方向および／または長手方向に対して位置調整自在に構成する。このシステムスタンドによれば、設置環境や植物の状態に応じて鉢植え観葉植物を支持する支持部の位置関係を所望に応じて簡便に調整することができるものである。【選択図】図１
2007222574.tif 000002
【特許請求の範囲】
【請求項１】
基部に立設固定される支柱を備え、この支柱に一もしくはそれ以上のアーム部材を回動自在にかつ取替え自在に配設するとともに支柱の頂部にアーム部材の固定具を設け、さらに各アーム部材の端部に被ディスプレイ体の支持部を配設し、これらの支持部を支柱の半径方向および／または長手方向に対して位置調整自在に構成することを特徴とするシステムスタンド。
【請求項２】
被ディスプレイ体の支持部を支柱の半径方向に対して位置調整にする手段として、異なる長さ寸法に設定したアーム部材を使用することからなる請求項１に記載のシステムスタンド。
【請求項３】
被ディスプレイ体の支持部を支柱の軸方向に対して位置調整にする手段として、支柱に装着される一もしくはそれ以上の筒形スペーサを使用することからなる請求項１または２に記載のシステムスタンド。
【請求項４】
アーム部材の端部に配設した支持部を籠状部材で形成し、この籠状部材に被ディスプレイ体を収容することからなる請求項１〜３のいずれかに記載のシステムスタンド。
【請求項５】
アーム部材の端部に配設した支持部をリング状部材で形成し、このリング状部材に被ディスプレイ体を収容する容器を装着することからなる請求項１〜３のいずれかにに記載のシステムスタンド。
【請求項６】
観葉植物の展示用として構成することからなる請求項１〜５のいずれかに記載のシステムスタンド。
【請求項７】
貴金属および／もしくは日用携帯品の保持用として構成することからなる請求項１〜５のいずれかに記載のシステムスタンド。
【請求項８】
厨房食器具および／もしくは料理の保持・展示用として構成することからなる請求項１〜５のいずれかに記載のシステムスタンド。
【請求項９】
支柱頂部に設けたアーム部材の固定具に代替して天井に対する突張固定具を設けることからなる請求項１〜８のいずれかに記載のシステムスタンド。
【発明の詳細な説明】
【技術分野】
【０００１】  この発明はシステムスタンドに関するものであり、例えば、一もしくはそれ以上の鉢植え観葉植物を美麗に保持しかつ展示する際などに好適に使用されるディスプレイ用のシステムスタンドに関するものである。
【背景技術】
【０００２】  一般に、一もしくはそれ以上の鉢植え観葉植物などを載置あるいは展示する手段としては、例えば、
（１）  ヒンジ部を介して連結した支持脚の長手方向に沿って複数の鉢植え容器を吊持し、ヒンジ部に対する支持脚の開度を調整することによりこれらの鉢植え容器を階段状に保持するようにした花台（特許文献１）、
（２）  並行に垂設した２本の吊枠に複数の横桟を設けるとともにこれらの横桟に引掛鉤具を介して受台を配設し、さらに吊枠を壁面に吊下げて前記受台に鉢を載置するようにした壁掛け花台（特許文献２）、
（３）  基台の内部に配置した水槽タンクの水をポンプにより自動灌水するようにしたスタンド花台（特許文献３）、
などが提案され、需要者の便宜に広く供されている。【０００３】
【特許文献１】  実開平６−５２６４０号
【特許文献２】  実開平３−１０１２６３号
【特許文献３】  実様新案登録第３０５１７６８号
【発明の開示】
【発明が解決しようとする課題】
【０００４】  しかるに、これら従来型の花台やスタンドは、被ディスプレイ体としての植物を支持する支持具（花台）の位置関係を植物の状態や環境に応じてこまめに調整することができないため、植物の生育に支障を生じたりあるいはイメージに合うような展示ができないなどの問題点が指摘されていた。
【課題を解決するための手段】
【０００５】  そこでこの発明では、観葉植物など被ディスプレー体の状態や環境などに応じて支持具の位置を簡便に調整することができるシステムスタンドを提供することを目的としたものであり、請求項１に記載のシステムスタンドは、基部に立設固定される支柱に一もしくはそれ以上のアーム部材を回動自在にかつ取替え自在に配設するとともに支柱の頂部にアーム部材の固定具を設け、さらに各アーム部材の端部に被ディスプレイ体の支持部を配設し、これらの支持部を支柱の半径方向および／または長手方向に対して位置調整自在に構成することを特徴とする。【０００６】  請求項２では、被ディスプレイ体の支持部を支柱の半径方向に対して位置調整にする手段として、異なる長さ寸法に設定したアーム部材を使用するものである。【０００７】  請求項３では、被ディスプレイ体の支持部を支柱の軸方向（上下方向）に対して位置調整にする手段として、アーム部材に代替して支柱に装着される一もしくはそれ以上の筒形スペーサを使用するものである。【０００８】  請求項４では、アーム部材の端部に配設した支持部を籠状部材で形成し、この籠状部材に被ディスプレイ体を収容するように構成し、また請求項５では前記支持部をリング状部材で形成し、このリング状部材に被ディスプレイ体を収容する容器を装着する構成を採用する。【０００９】  そして、請求項６においては、このシステムスタンドを観葉植物の展示用として構成し、請求項７ではこのシステムスタンドを貴金属および／もしくは日用携帯品の保持用として構成し、さらに請求項８においては厨房食器具および／もしくは料理の保持・展示用のスタンドとして構成する。【００１０】  なお、請求項９においては支柱頂部に設けたアーム部材の固定具に代替して天井に対する突張固定具を設ける構成を採用するものである。
【発明の効果】
【００１１】  本発明に係るシステムスタンドによれば、基部に立設固定される支柱を備え、この支柱に一もしくはそれ以上のアーム部材を回動自在にかつ取替え自在に配設するとともに支柱の頂部にアーム部材の固定具を設け、さらに各アーム部材の端部に被ディスプレイ体の支持部を配設し、これらの支持部を支柱の半径方向および／または長手方向に対して位置調整自在に構成したので、所望の被ディスプレイ体を適切な位置に展示したり保持することが可能となるものである。【００１２】  このシステムスタンドにおいては、被ディスプレイ体の支持部を支柱の半径方向に対して位置調整にする手段として、異なる長さ寸法に設定したアーム部材を使用するので位置の調整を容易に行うことができる。【００１３】  また、被ディスプレイ体の支持部を支柱の軸方向（上下方向）に対して位置調整にする手段としては、基本的に支柱に取り付けるアーム部材の増減操作により行うが、このアーム部材に代替して支柱に装着される一もしくはそれ以上の筒形スペーサを使用するので所望に応じて被ディスプレイ体の高さ位置を自由に設定することが可能となるものである。【００１４】  そして、このシステムスタンドは寸法・素材などを適宜変更することにより種々の用途に転用することができ、例えば、観葉植物の展示用システムスタンドとして構成した場合は、アーム部材の端部に設けた支持部をリング状部材で形成してこのリング状部材に鉢植え観葉植物を収容するための容器を装着すれば使用に便宜となり、前記支持部を籠状部材で形成すれば構造の簡略化を図ることができる。【００１５】  さらに、このシステムスタンドは、時計などの貴金属および／もしくはアクセサリーや鍵、定期などの日用携帯品の保持・保管用システムスタンド、あるいは厨房食器具および／もしくは料理の保持・展示用のスタンドなど用途に応じて適宜構成することができる。【００１６】  さらにまた、支柱頂部に設けたアーム部材の固定具に代替して天井に対する突張固定具を設けたので、屋内での使用の際における転倒などによる不都合を回避することができるものである。
【発明を実施するための最良の形態】
【００１７】  次に、本発明に係るにシステムスタンドおける最良の実施の形態として鉢植え観葉植物用のシステムスタンドを例示し、添付図面を参照しながら以下詳細に説明する。【００１８】  添付図面において、本発明に係るシステムスタンド１０は、基部１２に立設固定される例えば、長さ寸法を５５ｃｍ程度に設定した管状の支柱１４に複数のアーム部材１６を回動自在にかつ取替え自在に取り付けるとともにこの支柱１２の頂部に前記アーム部材１６の固定具１８を設け、さらに各アーム部材１６の端部には被ディスプレイ体としての鉢植え観葉植物Ａを支持するためのポット受け（支持部）２０を配設し、これらのポット受け２０を支柱１４の半径方向および／または長手方向に対して位置調整自在に構成することにより基本的に構成されている。【００１９】  基部１２は、支柱１４の直径よりも若干大径に設定したスリーブ材２２の外周に等角度で溶着した３本のパイプ材を湾曲加工して形成した脚部２４により構成され、各脚部２４の接地部には滑り止めとしてのゴム板２６が取着されている。なお、各脚部２４のスリーブ材２２を装着した管状支柱１４の下端部は固定具２８により締結保持されている（図２参照）。【００２０】  一方、アーム部材１６は、側面形状が直角三角形を呈するように湾曲加工したパイプ材３０からなり、このパイプ材３０を前記と同様のスリーブ材２２の外周部に溶着するとともにその先端部にはリング状に形成したポット受け２０を設けることにより構成されている（図３参照）。
なお、パイプ材３０はその長さ寸法Ｌを適宜変えたものを幾つか作成しておき、長さ寸法Ｌの異なる適宜のアーム部材１６を所望に応じて選択することにより、支柱１４との距離、すなわち、半径方向に対しての位置を調整するように形成する。【００２１】  また、前記ポット受け２０は、鉢植え観葉植物Ａを直接支持することもできるが、図４に示すように、内部にテーパ部３２を設けるとともに外面に釉薬を施した化粧用の陶磁器製ポット３４を介挿すれば、小径の鉢植え観葉植物Ｂも支持することができるだけでなく、この観葉植物に灌水した場合などにおける水の滴下も阻止することができ好適である。【００２２】  なお、参照符号３６は筒形スペーサであって、この筒形スペーサ３６は所望に応じてアーム部材１６に代替して支柱１４に装着され、鉢植え観葉植物ＡまたはＢの高さ位置（すなわち、支柱１４の軸方向に対する位置）を調整する際に使用されるものである。【００２３】  このように構成される本発明に係るシステムスタンド（鉢植え観葉植物用）を使用するに際しては、支柱１４に基部１２（としての脚部２４）を固定具２８により取着した後、鉢植え観葉植物ＡまたはＢの数や大きさに応じて長さ寸法Ｌの異なるアーム部材１６を適宜選択してこれらのアーム部材１６のスリーブ材２２（あるいは筒形スペーサ３６）を順次挿通し、その頂部を固定具１８で締結してシステムスタンドを組み立て、次に各ポット受け２０に鉢植え観葉植物Ａを装着したり、あるいは磁器製ポッド３４を介して小径の鉢植え観葉植物Ｂを装着し、システムスタンド１０の設置環境や鉢植え観葉植物ＡあるいはＢに応じてアーム部材１６を適宜回動させて所望の位置を決め、固定具１８を緊締してその位置を固定すれば良い。【００２４】  一方、図５は、スリーブ材２２の外周に等角度で溶着した３本の湾曲脚部３８を上下の丸棒リング４０ａ、４０ｂで連結することにより基部１２を構成して補強と安定化を図るとともにアーム部材１６の先端部に籠状支持体４２を設けた本発明に係るシステムスタンドの別の実施の態様を示すものである。
このシステムスタンド１０における籠状支持体４２は、図６からも明らかなように、枠形ホルダ４４の底部に網体４６を張設することにより構成したので、鉢植え観葉植物を直接載置することができるだけでなく、寸法や素材を適宜設定することにより、例えば、日用品や貴金属なども載置するスタンドとして使用することができるものである。【００２５】  なお、このように構成したシステムスタンドを屋内に設置する場合は、支柱１４頂部の固定具１８に代替して突張固定具（図示せず）を延設し、この突張固定具を天井に固定する構成を採用すれば、転倒などによる不都合を好適に回避することができる。
【産業上の利用可能性】
【００２６】  先に述べたように本発明に係るシステムスタンドは観葉植物の展示用システムスタンドとして好適に使用できるものであるが、このシステムスタンドといくつかの鉢入り観葉植物とを組み合わせてギフト商品として構成したり、あるいは時計などの貴金属および／もしくはアクセサリーや鍵、定期などの日用携帯品の保持・展示・保管用システムスタンド、さらには厨房食器具および／もしくは料理展示用のスタンドなどとしても好適に使用することができるものである。
【図面の簡単な説明】
【００２７】
【図１】本発明に係るシステムスタンドの最良の実施の形態としての鉢植え観葉植物用システムスタンドを示す側面概略説明図である。
【図２】図１に示す鉢植え観葉植物用システムスタンドにおける基部の側面説明図である。
【図３】図１に示す鉢植え観葉植物用システムスタンドにおけるアーム部材の側面説明図である。
【図４】図１に示す鉢植え観葉植物用システムスタンドのポット受けと化粧用の陶磁器製ポッドとの関係を示す一部断面説明図である。
【図５】本発明に係るシステムスタンドの別の実施の形態を示す側面概略説明図である。
【図６】図５に示すシステムスタンドの籠状支持体の斜視図である。
【符号の説明】
【００２８】    １０…システムスタンド、
１２…基部、
１４…管状支柱、
１６…アーム部材、
１８…固定具、
２０…支持部（ポット受け）、
２２…スリーブ材、
２４…脚部、
２６…滑り止めゴム板、
２８…固定具、
３０…パイプ材、
３２…テーパ部、
３４…化粧用陶磁器製ポット、
３６…筒形スペーサ、
３８…湾曲脚部、
４０…丸棒リング、
４２…籠状支持体、
４４…枠形ホルダ、
４６…網体、
【図１】
2007222574.tif 000003
【図２】
2007222574.tif 000004
【図３】
2007222574.tif 000005
【図４】
2007222574.tif 000006
【図５】
2007222574.tif 000007
【図６】
2007222574.tif 000008